(57)【要約】ワイヤレスネットワーク、ルーティングサーバ、および複数の移動局を含むシステムのメッセージング方法。第１の移動局は第１の通信アプリケーションおよび第１のＰＩＮを有し、第２の移動局は第２の通信アプリケーションおよび第２のＰＩＮを有する。該方法は、１つの第１の通信アプリケーションを使用して第１の移動局から第２の移動局に第１のＰＩＮを含むインビテーションを送信することと、１つの第２の通信アプリケーションを使用して第２の移動局から第１の移動局に第２のＰＩＮを含む承認を送信することとを含む。該方法は、第２のＰＩＮを含む第１のメッセージを生成し、第２の移動局にワイヤレスネットワークを通じて送信すること、および第１のＰＩＮを含む第２のメッセージを生成し、第１の移動局にワイヤレスネットワークを通じて送信することをさらに含む。ルーティングサーバは、ＰＩＮに基づいてメッセージのルートを決める。
2007506309.tif 000002
【特許請求の範囲】
【請求項１】
ワイヤレスネットワークおよび該ワイヤレスネットワークに接続されたルーティングサーバを含むシステムでの、第１の移動局と第２の移動局との間のメッセージを交換する方法であって、該第１の移動局は１つ以上の第１の通信アプリケーションを有し、該第２の移動局は１つ以上の第２の通信アプリケーションを有し、該第１の移動局は第１の個人識別番号を有し、該第２の移動局は第２の個人識別番号を有し、該方法は、
（ａ）該第１の個人識別番号を含むインビテーションメッセージを、該第１の移動局から該第２の移動局に、該１つ以上の第１の通信アプリケーションのうちの１つを使用して送信する工程と、
（ｂ）該第２の個人識別番号を含む承認メッセージを、該第２の移動局から該第１の移動局に、該１つ以上の第２の通信アプリケーションのうちの１つを使用して使用して送信する工程と、
（ｃ）該第２の個人識別番号を含む１つ以上の第１のメッセージを作成する工程と、
（ｄ）該１つ以上の第１のメッセージを、該ルーティングサーバに、該ワイヤレスネットワークを通じて送信する工程と、
（ｅ）該１つ以上の第１のメッセージを、該ルーティングサーバから該第２の移動局に、該ワイヤレスネットワークを通じて送信する工程であって、該１つ以上の第１のメッセージが、該第２の個人識別番号に基づいて該ルーティングサーバによってルートを決められる、工程と、
（ｆ）該第１の個人識別番号を含む１つ以上の第２のメッセージを作成する工程と、
（ｇ）該１つ以上の第２のメッセージを、該ルーティングサーバに、該ワイヤレスネットワークを通じて送信する工程と、
（ｈ）該１つ以上の第２のメッセージを、該ルーティングサーバから該第１の移動局に、該ワイヤレスネットワークを通じて送信する工程であって、該１つ以上の第２のメッセージが、該第１の個人識別番号に基づいて該ルーティングサーバによってルートを決められる、工程と
を包含する、方法。
【請求項２】
第２のインビテーションメッセージを、前記第１の移動局から前記第２の移動局に、前記１つ以上の第１の通信アプリケーションの別の１つを使用して送信する工程であって、該第２のインビテーションメッセージが前記第１の個人識別番号を含む、工程をさらに包含する、請求項１に記載の方法。
【請求項３】
工程（ｂ）から（ｈ）が、前記インビテーションメッセージと前記第２のインビテーションメッセージが前記第２の移動局によって受信される場合にのみ実行される、請求項２に記載の方法。
【請求項４】
前記第１の通信アプリケーションの１つおよび前記第２の通信アプリケーションの１つが、同じタイプである、請求項１に記載の方法。
【請求項５】
前記１つ以上の第１の通信アプリケーションおよび前記１つ以上の第２の通信アプリケーションが、無線電話アプリケーション、電子メールアプリケーション、ショートメッセージサービス（ＳＭＳ）アプリケーション、マルチメディアメッセージサービス（ＭＭＳ）アプリケーション、およびエンハンスドメッセージサービス（ＥＭＳ）アプリケーションから成る群から選択される、請求項１に記載の方法。
【請求項６】
前記第１の移動局が第１の使用可能性情報メッセージを、前記第２の移動局に定期的に送信する工程と、前記第２の移動局が第２の使用可能性情報メッセージを、前記第１の移動局に定期的に送信する工程と、をさらに包含する、請求項１に記載の方法。
【請求項７】
前記第１の使用可能性情報メッセージが前記第２の個人識別番号を含み、前記第２の使用可能性情報メッセージが前記第１の個人識別番号を含む、請求項６に記載の方法。
【請求項８】
前記第１の使用可能性情報メッセージを前記第２の移動局に送信する前記工程が、該第１の使用可能性情報メッセージを前記ルーティングサーバに、前記ワイヤレスネットワークを通じて送信し、該第１の使用可能性情報メッセージを該ルーティングサーバから該第２の移動局に、該ワイヤレスネットワークを通じて送信することを包含し、該ルーティングサーバは、前記第１の個人識別番号に基づいて該第１の使用可能性情報メッセージのルートを決め、
前記第２の使用可能性情報メッセージを前記第１の移動局に送信する前記工程が、該第２の使用可能性情報メッセージを前記ルーティングサーバに、該ワイヤレスネットワークを通じて送信し、該第２の使用可能性情報メッセージを該ルーティングサーバから該第１の移動局に、該ワイヤレスネットワークを通じて送信することを包含し、該ルーティングサーバは前記第２の個人識別番号に基づいて該第１の使用可能性情報メッセージのルートを決める、請求項７に記載の方法。
【請求項９】
前記第１の移動局が、複数の対応するコンタクト移動局を有する複数のコンタクトを有するコンタクトデータベースを有し、前記方法は、該第１の移動局が使用可能性情報メッセージを該コンタクト移動局に定期的に送信する工程をさらに包含する、請求項１に記載の方法。
【請求項１０】
前記第２の移動局が、前記コンタクト移動局の１つである、請求項９に記載の方法。
【請求項１１】
前記第１の移動局が、第２の使用可能性情報メッセージを１つ以上の前記コンタクト移動局から送信する工程と、使用可能性情報を該第２の使用可能性情報メッセージに基づいて前記移動局に表示する工程と、をさらに包含する、請求項９に記載の方法。
【請求項１２】
前記使用可能性情報が、コンタクトデータベーススクリーンの一部として表示される、請求項１１に記載の方法。
【請求項１３】
前記第２の使用可能性情報メッセージが、前記１つ以上の前記コンタクト移動局の現在の動作状態から得られる、請求項１１に記載の方法。
【請求項１４】
前記第２の使用可能性情報メッセージが、前記１つ以上の前記コンタクト移動局の特定の状態、または前記１つ以上の前記コンタクト移動局で生じるイベントに関する、請求項１３に記載の方法。
【請求項１５】
前記複数の一致するコンタクト移動局が複数の対応するコンタクト個人識別番号を有し、各々の前記使用可能性情報メッセージが１つの該コンタクト個人識別番号を含み、該使用可能性情報メッセージを該コンタクト移動局に送信する工程が、該使用可能性情報メッセージを前記ルーティングサーバに前記ワイヤレスネットワークを通じて送信することと、該使用可能性情報メッセージを該ルーティングサーバから該コンタクト移動局に、該ワイヤレスネットワークを通じて送信することを包含し、該ルーティングサーバは、該コンタクト個人識別番号に基づいて該使用可能性情報メッセージのルートを決める、請求項９に記載の方法。
【請求項１６】
前記第１の使用可能性情報メッセージが前記第１の移動局の現在の動作状態から得られ、および第２の使用可能性情報メッセージが第２の移動局の現在の動作状態から得られる、請求項６に記載の方法。
【請求項１７】
前記第１の使用可能性情報メッセージが、前記第１の移動局の特定の状態または該第１の移動局で生じるイベントに関し、および前記第２の使用可能性情報メッセージが、前記第２の移動局の特定の状態または該第２の移動局で生じるイベントに関する、請求項１６に記載の方法。
【請求項１８】
前記使用可能性情報メッセージが、前記第１の移動局の現在の動作状態から得られる、請求項９に記載の方法。
【請求項１９】
前記使用可能性情報メッセージが、前記第１の移動局の特定の状態または該第１移動局で生じるイベントに関する、請求項１８に記載の方法。
【請求項２０】
前記第１の移動局から前記第２の移動局に、音声回線を通って通話を行う工程をさらに包含し、前記インビテーションメッセージは、該第１の移動局から該第２の移動局に該音声回線を通って送信される、複数の第１のＤＴＭＦ発信音を含み、前記承認メッセージは、該第２の移動局から該第１の移動局に該音声回線を通って送信される、複数の第２のＤＴＭＦ発信音を含む、請求項１に記載の方法。
【請求項２１】
前記第１の通信アプリケーションおよび前記第２の通信アプリケーションが、それぞれ無線電話アプリケーションである、請求項２０に記載の方法。
【請求項２２】
前記第１の移動局が複数の前記コンタクト移動局から第１のコンタクトメッセージを表示し、該第１のコンタクトメッセージが前記ルータによって該第１の移動局へのルートを決められ、該第１の移動局が選択された１つの該コンタクト移動局から第２のコンタクトメッセージを表示せず、該第２のコンタクトメッセージが該ルータによって該第１の移動局へのルートを決められる、請求項９に記載の方法。
【請求項２３】
前記メッセージが１つの前記コンタクト移動局から生じた場合、前記第１の移動局が前記ルータによって該第１の移動局へのルートが決められたメッセージのみを表示する、請求項９に記載の方法。
【発明の詳細な説明】
【技術分野】
【０００１】
(関連出願へのクロスレファレンス)
本出願は、２００３年９月１６日に出願された、「Ａ  Ｍｅｔｈｏｄ  ｆｏｒ  Ｃｒｅａｔｉｎｇ  ａ  Ｐｅｅｒ−ｔｏ−Ｐｅｅｒ  Ｑｕｉｃｋ  Ｍｅｓｓａｇｉｎｇ  Ｓｏｌｕｔｉｏｎ  Ｗｉｔｈｏｕｔ  Ｕｓｉｎｇ  ａｎ  Ｉｎｓｔａｎｔ  Ｍｅｓｓａｇｉｎｇ  Ｓｅｒｖｅｒ」と題された米国仮出願Ｎｏ．６０／５０３，３６７、および２００３年９月１６日に出願された、「Ａｃｔｉｖｉｔｙ  Ｐｒｏｘｙｉｎｇ  Ｐｒｅｓｅｎｃｅ  ｉｎ  Ｍｏｂｉｌｅ  Ｉｎｓｔａｎｔ  Ｍｅｓｓａｇｉｎｇ」と題された米国仮出願Ｎｏ．６０／５０６，３６６の利益を主張する。米国仮出願Ｎｏ．６０／５０３，３６７の開示および米国仮出願Ｎｏ．６０／５０６，３６６の開示は、ここにおいて、本出願に援用される。
（技術分野）
本発明は、一般的に、携帯電話、高度自動機能電話、携帯情報端末（ＰＤＡ）、ポケベル、ハンドヘルドコンピュータ、電話可能なラップトップコンピュータ、および他の移動式の電子機器のような移動局のためのメッセージソリューションに関し、より詳細に、各移動局に対する存在および「仲間（ｂｕｄｄｙ）リスト」情報のような、状態情報を追跡するインスタントメッセージングサーバなどを利用しない、移動局に対するピア・ツー・ピアの迅速なメッセージングソリューションに関する。
【背景技術】
【０００２】
インスタントメッセージ（ＩＭ）は、友達または同僚のような、別々の個々がオンラインであるときにユーザーに知らせるサービスであって、彼らが電子メールソリューションに固有の蓄積転送の遅延なしで、お互いにリアルタイムでメッセージを送信することを可能にする。インスタントメッセージとともに、各ユーザーは、通信を所望する他のユーザーのリストを生成する（共通して「仲間リスト」と呼ばれる）。インスタントメッセージングサーバは、それに承諾した各々のユーザーのオンライン状態の追跡を維持し（通常、存在情報と呼ばれる）、そしてユーザーの仲間リストの誰かがオンラインのとき、サーバはユーザーに知らせ、他のユーザーとの迅速なコンタクトを可能にする。
【０００３】
ＩＭソリューションは、すぐに増し、陸線環境だけでなく、携帯電話、高度自動機能電話、携帯情報端末（ＰＤＡ）、ポケットベル、電話可能なラップトップコンピュータ、および他の移動式の電子機器のような移動局によって使用されるワイヤレス環境でも現われる。ワイヤレス環境は、ユーザーが移動局を持ち運ぶ時間に基づいて、高いＩＭソリューションのための可能性を提供する。
【０００４】
多くの利用可能なＩＭサーバの１つへのアクセスを得るために、ＩＭクライアントを移動局に送ることは技術的に周知である。これらのサービスは、ＡＯＬインスタントメッセンジャー（ＡＩＭ）、ＩＣＱ、Ｙａｈｏｏ！およびマイクロソフトのＭＳＮメッセンジャーの製品を含む。これらの製品は、各ＩＭサーバによって維持される何千万ものユーザーを有することが知られ、そしてこれらの通信は、いずれはもっと大きなコミュニティーを実現するために中間接続される。しかし、陸線およびデスクトップに基づいてＩＭソリューションは、ユーザー、特にモバイルユーザーが、彼らが移動局を持ち得る所はどこでも、良いＩＭ機能性を所望し必要とするものに及ばない。さらに、移動局の小さなスクリーンおよびメモリは、しばしば路上でＩＭを使用しようとする人々に対して苦い経験を招く。これらの人々は、低動作および従来のＩＭソリューションを受け入れざるを得ない。なぜなら、彼らは、古い様式のデスクトップＩＭソリューションを操作する陸線ユーザーに到達することを所望または要求し、他に選択する代替のものがないからである。したがって、移動局の本質である、「常時オン」を利用することができる、ワイヤレス移動局電子機器のために設計された、より良い、より完璧なメッセージングソリューション（ＩＭのような迅速なメッセージングを可能にする）が要求される。
【０００５】
ワイヤレス環境における現行のＩＭアプリケーションの別の主な問題は、現行のＩＭアプリケーションが、クライアントとユーザーが利用可能なときに表示するサーバとの間のメッセージの頻繁な交換を必要とすることである。ネットワーク通信量を増加する、これらの頻繁なメッセージは、ワイヤレスネットワークにとって問題である。なぜなら、ワイヤレスネットワークの帯域幅は非常に制限され、そしてデータ交換のコストは非常に高いからである。この問題はさらに、多くの送信および存在情報、仲間リスト、および仲間状態の追跡を維持するためにある多くのスモールメッセージにより、移動局のバッテリー寿命の減少によっていっそうひどくされる。これらスモールメッセージは、「存在更新」情報が通信者間で常に交換されるという原因によっていっそうひどくされる。
【０００６】
さらに、現行のＩＭアプリケーションの別の主な問題は、企業のユーザーに対するシステムの安全性の欠如である。ユーザー間の交換が暗号化され得ることは事実だが、これは、ユーザー間で順に回している自分のインスタントメッセージ識別の問題を解決しない。また、誰が自分をＩＭに招待したのかを認識する問題は、解決されていない。
【０００７】
別の共通のワイヤレスメッセージング標準は、ショートメッセージサービス（ＳＭＳ）であり、北アメリカおよび特にヨーロッパ、中国およびインドの至る所で使用されている。このサービスはまた、多くの弱点を有する。第１に、各ＳＭＳユーザーのアドレスは、彼らのＭＳ−ＩＳＤＮまたは電話番号を通じて実行されなければならない。この電話番号は、順に回すのに非常に簡単であり、そして送信者の真正を確認することが不可能である。第２に、推定されるまたは任意の実際の送達情報が示されないので、情報の交換は、それと関連する多くのリスクを有する。ＳＭＳはまた、いつまでも続くという会話の概念を有さず、実際には、別のグループとのＳＭＳ会話に関連する、長期間の状態情報を維持するＳＭＳデバイスはない。
【発明の開示】
【課題を解決するための手段】
【０００８】
システムおよび方法は、公知の先行技術ＩＭソリューションと結び付く多くの問題を克服する移動局間での、迅速なピア・ツー・ピアメッセージングを提供する。上記システムおよび方法は、存在および仲間リスト情報のような状態情報を追跡するサーバを必要としないので、データ交換量は縮小される。さらに、上記システムおよび方法は、増大された安全性を提供する。なぜなら、上記システムにおける移動局の各ユーザーの根本的なアドレス識別が機密を保持し、ピア・ツー・ピア・メッセージングに関するインビテーションが他のユーザーを順に回り得ないからである。その上、使用可能性（ａｖａｉｌａｂｉｌｉｔｙ）情報はユーザー間で交換され、そして別のユーザーが特定のメッセージに対して応答しそうかどうかについての情報を提供することによって、上記ユーザーの経験内容を向上させる。
【０００９】
これらおよび本発明の他の局面は、ワイヤレスネットワーク、ワイヤレスネットワークに接続されるルーティングサーバ、および複数の移動局を含むシステム、および上記システムの第１の移動局と第２の移動局との間のメッセージを交換する方法によって提供される。上記第１の移動局は、１つ以上の第１の通信アプリケーションおよび第１の個人識別番号が提供され、上記第２の移動局は、１つ以上の第２の通信アプリケーションおよび第２の個人識別番号を提供される。上記第１および第２の通信アプリケーションは、無線電話アプリケーション、電子メールアプリケーション、ショートメッセージサービス（ＳＭＳ）アプリケーション、マルチメディアメッセージングサービス（ＭＭＳ）アプリケーション、およびエンハンスドメッセージングサービス（ＥＭＳ）アプリケーションのような、１つ以上の現行の通信アプリケーションを含み得る。上記第１および第２の移動局はまた、本発明を実行するピア・ツー・ピア・メッセージングアプリケーションを提供される。
【００１０】
上記方法は、上記第１の個人識別番号を含むインビテーションメッセージを、上記第１の移動局から上記第２の移動局に、上記第１の通信アプリケーションの１つを使用して送信すること、および上記第２の個人識別番号を含む承認メッセージを、上記第２の移動局から上記第１の移動局に、上記第２の通信アプリケーションの１つを使用して送信することを包含する。これらの工程の後、上記方法は、上記第２の個人識別番号をそれぞれ含む１つ以上の第１のメッセージを生成し、および上記第１のメッセージをルーティングサーバを使用して上記ワイヤレスネットワークを通じて上記第２の移動局に送信することを包含する。上記ルーティングサーバは、上記第２の個人識別番号に基づいて第１のメッセージのルートを決める。上記方法はまた、上記第１の個人識別番号をそれぞれ含む１つ以上の第２のメッセージを生成、および上記第２のメッセージを上記ルーティングサーバを使用して上記ワイヤレスネットワークを通じて第１の移動局に送信することを包含する。上記ルーティングサーバは、上記第１の個人識別番号に基づいて上記第２のメッセージのルートを決める。上記ルーティングサーバは、存在情報または仲間リスト情報のような、任意の移動局に対する任意の状態情報を追跡しない。
【００１１】
上記方法は、上記第１の個人識別番号を含む第２のインビテーションメッセージを、上記第１の移動局から上記第２の移動局に、別の１つの上記第１の通信アプリケーションを使用して送信することをさらに含み得る。この場合、上記第２の移動局は、両方のインビテーションメッセージが上記第２の移動局によって受信される場合に限り、上記インビテーションメッセージを受容するように実行され得る。
【００１２】
１つの特定の実施形態では、通話は上記第１の移動局から上記第２の移動局に音声回線を通って設置される。この場合、上記インビテーションメッセージは、上記第１の移動局から上記第２の移動局に上記音声回線を通って送信される複数の第１のＤＴＭＦ発信音を備え、そして上記承認メッセージは、上記第２の移動局から上記第１の移動局に上記音声回線を通って送信される複数の第２のＤＴＭＦ発信音を備える。
【００１３】
上記第１の移動局は、本発明に従って、第１の使用可能性情報メッセージを上記第２の移動局に、上記ルーティングサーバを通じて定期的に送信し得、上記第２の移動局は、第２の使用可能性情報メッセージを上記第１の移動局に、上記ルーティングサーバを通じて定期的に送信し得る。上記使用可能性情報メッセージは、当該の上記移動局の現在の動作状態から導き出され得、そして当該の上記移動局の特定の状態、または当該の上記移動局で生じるイベントの特定の状態に関し得る。さらに、各移動局は、上記使用可能性情報メッセージを、データベースにコンタクトする全ての移動局に定期的に送信し得る。
【００１４】
本発明の全てを理解することは、添付の図面と組み合わせて読まれるとき、下記の好ましい実施形態の詳細から得られる。同様な数字は、本明細書中の同様の部分を引用する。
【発明を実施するための最良の形態】
【００１５】
（発明の最善の実施形態）
図１は、本発明による迅速なピアツーピアメッセージングを可能にするための、システム５のブロック図である。システム５は、図１に示される移動局１０Ａおよび１０Ｂのような複数の移動局１０を含み、携帯電話、高度自動機能電話、携帯情報端末（ＰＤＡ）、ポケットベル、バンドヘルドコンピュータまたは電話可能なラップトップコンピュータのような、任意のタイプの無線携帯通信機器であり得る。公知のように、各移動局１０は、無線電話アプリケーション、電子メールアプリケーション、ショートメッセージサービス（ＳＭＳ）アプリケーション、マルチメディアメッセージサービス（ＭＭＳ）アプリケーション、エンハンスドメッセージサービス（ＥＭＳ）アプリケーション、およびメッセージング可能な他のインターネットアプリケーション（これらの各々は、本明細書中では、「現行の通信アプリケーション」と呼ばれ得る）のような、他の移動局１０に通信可能な、１つ以上で制限無しの、一般に現行のアプリケーションを含む、さまざまなアプリケーションが提供され得る。さらに、各移動局１０は、本明細書に記載されるような本発明のピアツーピアメッセージングソリューションを実行するアプリケーションを提供される（本明細書中では「ピアツーピアメッセージングアプリケーション」と呼ばれる）。本明細書中で使用されるような用語「アプリケーション」は、１つ以上のプログラム、ルーチン、サブルーチン、機能呼び出しまたは他のタイプのソフトウェア若しくはファームウェアなどであり、単独またはそれらの組み合わせを含む。システム５はまた、ワイヤレスネットワーク１５を含み、ワイヤレスネットワーク１５は、Ｍｏｂｉｌｔｅｘ（登録商標）、ＤａｔａＴＡＣ（登録商標）、ＡＭＰＳ、ＴＤＭＡ、ＣＤＭＡ、ＧＳＭ／ＧＰＲＳ、ＰＣＳ、ＥＤＧＥ、ＵＭＴＳまたはＣＤＰＤを制限なく含む任意のワイヤレス通信ネットワークまたは相互接続されたネットワークの組み合わせであり得る。公知のように、ワイヤレスネットワーク１５は、データおよび音声を移動局１０Ａおよび１０Ｂで交換するのを補助するために、ラジオ周波数（ＲＦ）プロトコルを実行する複数の基地局を含む。ルーティングサーバ２０は、ワイヤレスネットワーク１５に接続されている。ルーティングサーバ２０は、Ｃａｌｉｆｏｒｎｉａ，Ｓａｎ  ＪｏｓｅのＣｉｓｃｏ  Ｓｙｓｔｅｍｓ，Ｉｎｃ．によって販売されたようなＴＣＰ／ＩＰルータ、またはネットワークアドレス変換サーバ（ＮＡＴ）を制限なく含む、データパケットをすばやくルーティングすることが可能な、任意のタイプのルーティング装置であり得る。
【００１６】
システム５の各移動局１０は、独自の個人識別番号（ＰＩＮ）が割り当てられて記憶される。各移動局１０に対するＰＩＮは、それが製造されるかまたはその加入者識別モジュール（ＳＩＭ）を通じたとき、割り当てられてそこに記憶され得る。各ＰＩＮは、ワイヤレスネットワーク１５上の対応する移動局１０のネットワークアドレスにマッピングされ、ワイヤレスネットワーク１５は、データが移動局１０へのルートを決めることを可能にする。ルーティングサーバ２０は、このマッピングに基づいて移動局１０によって送信されるルーティングメッセージに対して１つ以上のルーティングテーブルを含む。一実施形態では、ＰＩＮは実質的にはネットワークアドレスそのものであり得、別の実施形態では、ＰＩＮは移動局１０の電話番号、または移動局１０に対する携帯電話加入者ＩＳＤＮ（ＭＳＩＳＤＮ）のような独自のＩＤであり得、そしてネットワークアドレスは、ＩＰアドレスまたはそのようなものであり得る。
【００１７】
本発明による２つの移動局１０間のピアツーピアメッセージングセッションの確立および保守について説明する便宜上、基準は図１に示される移動局１０Ａおよび１０Ｂとする。しかし、同一の記載は、任意の２つの移動局１０間のピアツーピアメッセージングセッションに適用されると認識される。移動局１０Ａのユーザーが、移動局１０Ｂのような別の移動局１０とともに本発明によるピアツーピアメッセージングセッションを確立したいとき、移動局１０Ａは、移動局１０Ａおよび移動局１０Ｂの両方に共通する１つ以上の現行の通信アプリケーションを使用して、移動局１０Ｂにインビテーションを生成し送信する。好ましくは、これは、移動局１０Ａの画面上にユーザーのために表示される適切なメニューおよび／またはダイアログボックスを使用する、ピアツーピアメッセージングアプリケーションを通じて容易にされ、達成される。いずれの場合にも、インビテーションは、電子メール、ＳＭＳメッセージ、ＥＭＳメッセージ、またはＭＭＳメッセージ若しくはワイヤレス通話のような、特定の現行の通信アプリケーションに対する適切なメッセージから構成され、それは：（１）移動局１０Ｂのユーザーがインビテーションを受容することを要求し、そしてピアツーピアメッセージングセッションを、移動局１０Ｂを使用して移動局１０Ａとともに確立するかどうかについてのリクエストの一部の形式、（２）移動局１０ＡのＰＩＮを含むファイルまたはその一部、および（３）ピアツーピアメッセージングアプリケーションを使用するピアツーピアメッセージングセッションのためのメッセージを表示するインジケータ、を含む。以下にさらに詳細に記載されるように、項目（３）は、特定のタイプのメッセージであるインビテーションメッセージを識別し、そして移動局１０のピアツーピアメッセージングアプリケーションは、その受け取りを実行させるようなデータ要素である。移動局１０Ｂのユーザーが、移動局１０Ａとともにピアツーピアメッセージングセッションを確立することを望む場合、移動局１０Ｂのユーザーは、適切な現行の通信アプリケーションを使用して受容メッセージとともにインビテーションに応答し、それは：（１）移動局１０Ｂのユーザーがセッションの確立を要求する、移動局１０Ａのユーザーへの確認の一部の形式、（２）移動局１０ＢのＰＩＮを含むファイルまたはその一部、および（３）ピアツーピアメッセージングアプリケーションを使用するピアツーピアメッセージングセッションのためのメッセージを表示するインジケータ、を含む。さらに、これは、好ましくは、移動局１０Ｂの画面上にユーザーのために表示される適切なメニューおよび／またはダイアログボックスを使用して、ピアツーピアメッセージングアプリケーションを通じて容易にされ、達成される。好ましくは、ＰＩＮが、ある移動局から別の移動局に送信されるときはいつでも、それは、エンコード（ハッシュ関数のような）形式および／または暗号化形式で送信され、そしてシステム５の各々の移動局１０は、受信したときのＰＩＮのように、デコードおよび／または解読に必要な情報を提供される。
【００１８】
認識されるように、一旦上記の工程が完了すると、移動局１０Ａは移動局１０Ｂに対してＰＩＮを有し、そして移動局１０Ｂは移動局１０Ａに対してＰＩＮを有する。今、移動局１０Ａまたは１０Ｂのどちらかが、もう一方にピアツーピアメッセージを送信するよう要求する場合、もう一方は、好ましくは、メッセージヘッダーにおいて、送信されるべきメッセージ情報とともに、受信側の移動局１０（１０Ａまたは１０Ｂ、場合に応じて）のＰＩＮを含むピアツーピアメッセージングアプリケーションを使用してピアツーピアメッセージを作成する。ピアツーピアメッセージは次いで、移動局１０によって、ワイヤレスネットワーク１５を通じてルーティングサーバ２０に送信される。ルーティングサーバ２０は、ピアツーピアメッセージからＰＩＮを得て、そこに記憶されたルーティングテーブルを使用してそして受け取り側の移動局１０（１０Ａまたは１０Ｂ、場合に応じて）のネットワークアドレスを決定するためにそれを使用し、メッセージを受け取り側の移動局１０（１０Ａまたは１０Ｂ、場合に応じて）に、決められたネットワークアドレスを使用してワイヤレスネットワーク１５を通じて送信する。一旦受信されると、ピアツーピアメッセージ、および特にそこに含まれるメッセージ情報は、受け取り側の移動局１０（１０Ａまたは１０Ｂ、場合に応じて）のユーザーのために表示される。
【００１９】
本発明の一実施形態に従って、複数の現行の通信アプリケーションを使用して複数の通信パスを通る、上記に記載されたようなインビテーションを送信することによって、ピアツーピアメッセージングにおける安全性は増大され得る。認識されるように、各通信パスは、インビテーションの送信側に対して異なるアドレス識別を確認する。したがって、インビテーションの信頼性を確認する助けとなる。例えば、移動局１０Ａのユーザーは、電子メールアプリケーションおよびＳＭＳアプリケーションの両方を使用して、上記のような移動局１０Ｂとともにピアツーピアメッセージングセッションを確立することを望み得る。この場合、インビテーションメッセージが移動局１０Ｂによって受信されたとき、移動局１０Ｂなどの「受信ボックス（ｉｎｂｏｘ）」は、移動局１０Ａからの２つのメッセージを示す。すなわち、電子メールインビテーションおよびＳＭＳインビテーションである。メッセージが到着するとき、移動局１０Ｂのユーザーは、カレンダーアプリケーション、アドレス帳アプリケーション、ブラウザアプリケーションまたは電話アプリケーションのような、移動局１０Ｂの任意のアプリケーションで作業し得るか、若しくは現在、移動局１０Ｂ（電源が入っているにもかかわらず）を使用しない。ユーザーは、移動局１０Ｂによって受信された任意の他のメッセージと同じ様式で、インビテーションメッセージの到着が通知され得る（例えば、ビープ音および／または振動）。移動局１０Ｂのユーザーが、これら２つのメッセージのどちらか一方を開くとき、ピアツーピアメッセージングアプリケーションは、メッセージを処理するために呼び出される。当業者によって認識されるように、ピアツーピアメッセージングアプリケーションの自動呼出しは、形式に関係なく、表示する特定のインジケータとともに、各インビテーションメッセージを提供することによって実行され得、表示する特定のインジケータはピアツーピアメッセージングセッションに対するインビテーションであり、そして上記のインジケータに入ってくるメッセージの全てを監視するピアツーピアアプリケーションをプログラミングすることによるインビテーションである。さらに、各インビテーションメッセージが、ピアツーピアメッセージングアプリケーション内に生成されるとき、送信された多数（異なるパス以上）のインビテーションメッセージの表示を含む。この例のような、複数のパスが使用される場合、ピアツーピアメッセージングアプリケーションは、次に他のインビテーションメッセージに対して「受信ボックス」などをスキャンする。例えば、電子メールインビテーションメッセージが最初に開かれる場合、ピアツーピアアプリケーションは、ＳＭＳインビテーションメッセージに対して「受信ボックス」などをスキャンする。上記されるように、インビテーションメッセージは、それとともに提供される特定のインジケータによって識別される。この実施形態のピアツーピアメッセージングアプリケーションは、移動局１０Ｂのユーザーに、他のインビテーションメッセージが見つかるまでの間、インビテーションを受容する能力を提供しない。一旦他のインビテーションメッセージが見つかると、移動局１０のユーザーは、上記されたようなインビテーションを受容し得、インビテーションを拒否するか、または受容するか拒否するかどうかの決定を先送りする。
【００２０】
本発明の別の特定の実施形態に従って、ピアツーピアメッセージング会話は、回線切り替え携帯電話のような通話を使用して確立され得る。特に、再び例のような移動局１０Ａおよび１０Ｂを使用し、移動局１０Ａは、移動局１０Ａの電話アプリケーションを使用するワイヤレスネットワーク１５を通じて、移動局１０Ｂと最初に通話を開始し、そして呼び出しは電話アプリケーションを使用する移動局１０Ｂによって応答される。実行される各メンバーの音声認証を可能にするセッションを開始する通話の使用は、その結果、安全性が増大する。呼び出しが移動局１０Ａと移動局１０Ｂとの間で始まる一方、移動局１０Ａは、移動局１０Ａのユーザーのリクエストで（例えば、適切なメニューの選択および／または移動局１０Ａで表示されるダイアログボックスを通じて）、一連のトーン信号（ＤＴＭＦ）発信音から成るピアツーピアメッセージングインビテーションを、移動局１０Ｂに、移動局１０Ａと移動局１０Ｂとの間にすでに接続されている音声回線を通じて送信する。このインビテーションは、上記されるように、移動局１０ＡのＰＩＮを含む。ＤＴＭＦインビテーションメッセージの受け取りと同時に、移動局１０Ｂのピアツーピアメッセージングアプリケーションは、インビテーションを移動局１０Ｂのユーザーに通知し、ユーザーのために表示されるダイアログボックスなどを通じるなどして、インビテーションの決定を受容、拒否、または先送りする選択肢をユーザーに提供する。移動局１０Ｂのユーザーが承認すると、移動局１０Ｂのピアツーピアメッセージングアプリケーションは、移動局１０Ａと移動局１０Ｂとの間ですでに接続された音声回線を通じて送信され、一連のＤＴＭＦ発信音から成る承認応答メッセージが移動局１０Ａに送信される。これらＤＴＭＦ発信音は、移動局１０ＢのＰＩＮを含む。この時点で、移動局１０Ａおよび移動局１０Ｂは、ピアツーピアメッセージングセッションを維持するために必要な情報を交換し、そしてメンバーは、上記に記載されたように上記のメッセージを交換し始め得る。認識されるように、アナログモデム技術およびＤＴＭＦではない発信音を含む音声チャンネルを通して情報を送信および受信することに代わるものは、本実施形態のＤＴＭＦ発信音の代わりになり得る。
【００２１】
安全性が増大する本発明の別の局面にしたがって、各移動局１０のＰＩＮは、機密が保持される。これは、各移動局１０の各ユーザーが、ＰＩＮ、つまりユーザーの「ネットワーク識別」に誰がアクセスするのかを制御することを可能にする。保護機能のようなものがなければ、ユーザーのネットワーク識別は、広範にそしてそれらの制御なしで共有され得る。これは、多数の方法で実行され得る。単純な方法は、電子メールのようなメッセージに対して、バイナリ添付ファイルのようなＰＩＮをエンコードするだけである。この方法では、情報は移動局１０のソフトウェアに使用可能であるが、ユーザーには容易に使用できない。添付ファイルもまた意図する受信者のバイナリ指定（例えば、それらの電子メールアドレス）を含むと、次いでソフトウェアは、それらの電子メールアドレスが意図する受信者と一致すれば、ユーザーがインビテーションを受容することのみを可能にする。この仕組みに対して、ユーザーがバイナリ添付ファイルデータを見ることができる場合、ＰＩＮを見ることができ得る。システムは、多くの方法において、より安全にされ得る。例えば、ＰＩＮは、発信者および受信者の両方によって知られるキーを使用して暗号化され得る。
【００２２】
本発明の局面にしたがって、各移動局１０のピアツーピアメッセージングアプリケーションは、移動局１０のユーザーが通信するか、またはピアツーピアメッセージングアプリケーションを使用して通信することを望む別の移動局１０の各ユーザーに対して、名前および／または他の識別情報と、対応するＰＩＮとを記憶するコンタクトデータベースを含む。このコンタクトデータベースはしたがって、ＩＭアプリケーションの役割である「仲間リスト」に類似する。ユーザーおよびＰＩＮ情報は、ユーザーが別のユーザーとピアツーピアメッセージングセッションを確立するか、またはユーザーが異なる様式の別のユーザーから取得された情報を入力することによって簡単にコンタクトデータベース中に追加され、そして記憶される。登録はまた、ユーザーによってコンタクトデータベースから選択的に削除され得る。図２は、例示的なコンタクトデータベーススクリーン２５を示す移動局１０のディスプレイの一部の図であり、コンタクトデータベーススクリーン２５は、ピアツーピアメッセージングアプリケーションの一部であり、そしてコンタクトデータベース中に記憶されたコンタクトのリスト３０を表示する。図２に示されるように、コンタクトデータスクリーン２５はまた、リスト３０にリストアップされている各コンタクトに対応して提供し、状態情報３５は、「暗示された（ｉｍｐｌｉｅｄ）使用可能性」と呼ばれるピアツーピアメッセージングセッションに関係する、特定のコンタクトの見込みのある使用可能性に関する。この使用可能性情報は、以下により詳細に考察されている。
【００２３】
本発明のさらなる局面に従って、各移動局１０（明確にするために「第１の移動局１０」と呼ばれる）は、ワイヤレスネットワーク１５およびルーティングサーバ２０を通じて、第１の移動局１０（明確にするために「他の移動局１０」と呼ばれる）のコンタクトデータベースにリストアップされた、各々のユーザーの移動局１０に関する使用可能性情報、および各々のユーザーの記憶されたＰＩＮを使用して、例えばデータ通信量を最小限にするために１０分ごとに定期的に送信する。一特定の実施形態では、任意の他の移動局１０が電源を切るかまたは受信可能範囲から出ると、ルーティングサーバ２０は、上記の他の移動局１０に対して意図された、多数の使用可能性情報メッセージを処理待ちにし、そして他の移動局１０が電源を入れるか、または受信可能範囲に戻るとすぐにそれらを交付する。時間が経てば変わる使用可能性情報は、第１の移動局１０の現在の操作状態から供給される。使用可能性情報は、コンタクトデータベースにある他の移動局１０の各々のユーザーに見込みを与えるために、第１の移動局１０におけるユーザーの動作の表示を提供することを目的とする。その見込みとは、第１の移動局１０のユーザーが、第１の移動局１０のユーザーに送信されたピアツーピアメッセージを読み、そして返信をどの程度するのかである。システム５の全ての移動局１０（以下に記載されるような使用不能にされることがない限り）が、使用可能性情報を全てのコンタクトに転送するので、システム５の各移動局１０は、コンタクトデータベース中の他のユーザーの各々に対する使用可能性情報を有し得る。結果として、任意の移動局１０のユーザーは、特定のコンタクトがピアツーピアメッセージを受信し、応答するかどうかについての認識を得るために、移動局１０のコンタクトデータベースにリストアップされた任意のコンタクトの使用可能性情報を閲覧することができ、そして情報はピアツーピアメッセージを送信するかどうかの判断をもたらし得る。
【００２４】
使用可能性情報は、例えば、移動局１０がワイヤレスネットワーク１５の範囲内で電源を入れ、そしてピアツーピアメッセージが受信されることを防ぐアプリケーションを積極的に利用しないことを示す「利用可能な（ａｖａｉｌａｂｌｅ）」のような一般状態インジケータと、ここでピアツーピアメッセージは、電話アプリケーションを使用し、係わりあうような受信された通話からのものであり、また、例えば、移動局１０が電源を切られているかワイヤレスネットワーク１５の範囲外であることを示している「利用不可能な（ｕｎａｖａｉｌａｂｌｅ）」のような一般状態インジケータとから成り得る。さらに、使用可能性情報は、例えば、入ってくる通話を無視する、ユーザーの移動局１０の電源を切る、移動局１０が現在の通話に関わっている、第１の移動局１０ユーザーが、移動局１０に提供されたカレンダーアプリケーションに参加することによって表示されるときにミーティング中である、または移動局１０のユーザーが、ピアツーピアメッセージングアプリケーションを現在使用中であるといった、移動局１０の特定の状態または移動局１０で生じるイベントの特定の状態に関し得る。認識されるように、使用可能性情報は、移動局１０内でのあらゆる動作および／または一部の利用可能な情報のあらゆる動作に関連して得られ、上記にリストアップされた特定の例は、例示のみを指し、制限されない。そのうえ、一般状態インジケータは、移動局１０の特定の状態および／または移動局１０で生じるイベントの特定の状態に関する情報に基づいて多数のレベルまたは使用可能性の程度を備え得る。このような場合では、使用可能性情報は、「利用可能性−レベル１」、「利用可能性−レベル２」などのような、さまざまなレベルまたは利用性の程度を表示する度合いについて通知され得る。加えて、移動局１０の特定のユーザーがこれを接近して追跡するという彼らの使用可能性を要求しなければ、移動局１０が使用可能性情報を送信することを防ぐことができる。使用可能性情報の生成および供給のより詳細な考察は、代理人整理番号Ｎｏ．２９１０１０−０００８２およびＮｏ．２９１０１０−００１２２によって識別される、「Ｈａｎｄｈｅｌｄ  Ｅｌｅｃｔｒｏｎｉｃ  Ｄｅｖｉｃｅ  ａｎｄ  Ａｓｓｏｃｉａｔｅｄ  Ｍｅｔｈｏｄ  Ｐｒｏｖｉｄｉｎｇ  Ａｖａｉｌａｂｉｌｉｔｙ  Ｄａｔａ  ｉｎ  ａ  Ｍｅｓｓａｇｉｎｇ  Ｅｎｖｉｒｏｎｍｅｎｔ」と題される、２つの共有に係る米国出願に提供され、その開示は、ここにおいて、本出願中に援用される。
【００２５】
図３は、本発明によるピアツーピアメッセージングアプリケーションの一部を形成する、例示的な状態画面４０を示す移動局１０の画面の一部の図である。状態画面４０は、ピアツーピアメッセージングアプリケーションのメイン画面であり、移動局１０のユーザーに、ピアツーピアメッセージングアプリケーションに関する全体的な状態情報を提供する。特に、状態画面４０は、現在会話中のグループ４５、通信が遮断されている人（ｂｌｏｃｋｅｄ  ｃｏｒｒｅｓｐｏｎｄｅｎｔｓ）のグループ５０、および会話を保留しているグループ５５を含む、さまざまなグループに関する情報を提供する。現在会話中のグループ４５は、会話と呼ばれる、全てのピアツーピアメッセージングセッションに関する情報をリストアップして提供し、そこでは移動局１０は、一般に活動中である。現在会話中とは、移動局１０が上記されたようなインビテーションを、別の移動局１０に送信するかどうかであり、次に上記されるような承認メッセージを受信し、または別の移動局１０が上記されるようなインビテーションを移動局１０に送信し、移動局１０が上記されたような承認メッセージに対応する。通信が遮断されている人のグループ５０は、他の移動局１０のユーザーのリストを提供し、この移動局１０のユーザーはこれ以上からピアツーピアメッセージを受信することを望まない。そして、それらのメッセージは遮断され、ユーザーに表示されない。好ましくは、移動局１０によって通信が遮断されている人の各々に送信される。あるいは、他の移動局１０のユーザーからのピアツーピアメッセージは、この移動局１０のユーザーがこれ以上のピアツーピアメッセージの受信を望まず、コンタクトデータベースから上記他のユーザーを削除することによってピアツーピアメッセージを遮断し、ユーザーに表示され得ない。会話を保留しているグループ５５は、移動局１０の現在会話を保留している人全てに関する情報を提供する。会話を保留している人は、移動局１０が上記されるようにインビテーションを別の移動局１０に送信し、そしてまだ返信を受信していないか、または別の移動局１０が上記されるようなインビテーションを移動局１０に送信し、そして移動局１０がまだ返信していないかのどちらかを意味する。
【００２６】
現在会話中のグループ４５、通信が遮断されている人のグループ５０、および会話を保留しているグループ５５は、選択的に、追加情報が表示されると拡張され得、または追加情報が表示されないと崩壊され得る。各々の現在会話中のグループ４５、通信が遮断されている人のグループ５０、および会話を保留しているグループ５５は、拡張された形式で図３に示される。ユーザーは、移動局１０の一部として含まれる、複数のキーおよび／または回転性のサムホイールのような入力装置を通じて移動局１０中に入力を提供することによって、拡張状態および崩壊状態を選択的に切り替える。拡張状態では、現在会話中のグループ４５は、現在会話中の各々に対してリストアップする：（１）ユーザーは、他の移動局１０と結び付き、（２）使用可能性情報は、他の移動局１０に関連し、そして（３）最も最近のメッセージのデータおよび／または時間を送信または受信される。ピアツーピアメッセージングセッションは、長日月、例えば数週間または数ヶ月の間、開発され能動的であり続けることができるので、項目（３）はどちらの会話が最も能動的で最新であるかに関するクイックリファレンスを提供する。拡張状態では、会話を保留しているグループ５５は、会話を保留しているグループの各々に対してリストアップする：（１）ユーザーは、他の移動局１０と結び付き、そして（２）使用可能性情報は、他の移動局１０に関連する。図３に示されるように、使用可能性情報を示すアイコン６０は、好ましくは、現在会話中のグループ４５、および通信が遮断されている人のグループ５０へのエントリーの次に、ユーザーに対しての参照の容易さのために、提供される。
【００２７】
したがって、本発明は、公知の先行技術であるＩＭソリューションと結びつく多くの問題を克服する、移動局間の迅速なピアツーピアメッセージングのためのシステムおよび方法を提供する。ＩＭサーバとは違って、ルーティングサーバ２０は存在リスト情報および仲間リスト情報のような状態情報を追跡しないので、データ交換の量は縮小される。さらに、安全性は増大される。なぜなら、各ユーザーの根本的なアドレス識別は、機密が保持され、そしてメッセージインビテーションは、周りの他のユーザーに送られ得ないからである。さらに、ユーザー間で交換される使用可能性情報は、別のユーザーが特定のメッセージに応答しそうかどうかについての情報を提供することによって、ユーザー経験を増す。
【００２８】
本発明の特定の実施形態が詳細に記載されている一方で、さまざまな改変およびそれらの詳細の代替案は、開示の全体的な教示の観点で開発することが、当業者によって認識される。したがって、開示された特定の処理は、単に例示され、添付された請求項およびそれに均等物の全ての範囲が与えられる本発明の範囲に関して限定されない。
【００２９】
（産業上の利用可能性）
本発明は、携帯電話、高度自動機能電話、携帯情報端末（ＰＤＡ）、ポケットベル、ハンドヘルドコンピュータ、電話可能なラップトップコンピュータ、および他の移動式の電子機器のような、移動局に対するメッセージングソリューションに向けられる。
【図面の簡単な説明】
【００３０】
【図１】図１は、本発明による移動局間の迅速なピア・ツー・ピア・メッセージングを可能にするシステムのブロック図である。
【図２】図２は、本発明によるピア・ツー・ピア・メッセージングアプリケーションの一部である模範的なコンタクトデータベーススクリーンを示す、移動局のディスプレイの一部の図である。
【図３】図３は、本発明によるピア・ツー・ピア・メッセージングアプリケーションを形成する模範的な状態スクリーンを示す、移動局のディスプレイの一部である。
【図１】
2007506309.tif 000003
【図２】
2007506309.tif 000004
【図３】
2007506309.tif 000005
【手続補正書】
【提出日】平成17年7月13日(2005.7.13)
【手続補正１】
【補正対象書類名】特許請求の範囲
【補正対象項目名】全文
【補正方法】変更
【補正の内容】
【特許請求の範囲】
【請求項１】
ワイヤレスネットワークおよび該ワイヤレスネットワークに接続されたルーティングサーバを含むシステムでの、第１の移動局と第２の移動局との間のメッセージを交換する方法であって、該第１の移動局は１つ以上の第１の通信アプリケーションを有し、該第２の移動局は１つ以上の第２の通信アプリケーションを有し、該第１の移動局は第１の個人識別番号を有し、該第２の移動局は第２の個人識別番号を有し、該方法は、
（ａ）該第１の個人識別番号を含むインビテーションメッセージを、該第１の移動局から該第２の移動局に、該１つ以上の第１の通信アプリケーションのうちの１つを使用して送信する工程、および、第２のインビテーションメッセージを、該第１の移動局から該第２の移動局に、該１つ以上の第１の通信アプリケーションの別の１つを使用して送信する工程であって、該第２のインビテーションメッセージが該第１の個人識別番号を含む、工程と、
（ｂ）該第２の個人識別番号を含む承認メッセージを、該第２の移動局から該第１の移動局に、該１つ以上の第２の通信アプリケーションのうちの１つを使用して使用して送信する工程と、
（ｃ）該第２の個人識別番号を含む１つ以上の第１のメッセージを作成する工程と、
（ｄ）該１つ以上の第１のメッセージを、該ルーティングサーバに、該ワイヤレスネットワークを通じて送信する工程と、
（ｅ）該１つ以上の第１のメッセージを、該ルーティングサーバから該第２の移動局に、該ワイヤレスネットワークを通じて送信する工程であって、該１つ以上の第１のメッセージが、該第２の個人識別番号に基づいて該ルーティングサーバによってルートを決められる、工程と、
（ｆ）該第１の個人識別番号を含む１つ以上の第２のメッセージを作成する工程と、
（ｇ）該１つ以上の第２のメッセージを、該ルーティングサーバに、該ワイヤレスネットワークを通じて送信する工程と、
（ｈ）該１つ以上の第２のメッセージを、該ルーティングサーバから該第１の移動局に、該ワイヤレスネットワークを通じて送信する工程であって、該１つ以上の第２のメッセージが、該第１の個人識別番号に基づいて該ルーティングサーバによってルートを決められる、工程と
を包含する、方法。
【請求項２】
工程（ｂ）から（ｈ）が、前記インビテーションメッセージと前記第２のインビテーションメッセージが前記第２の移動局によって受信される場合にのみ実行される、請求項１に記載の方法。
【請求項３】
前記第１の通信アプリケーションの１つおよび前記第２の通信アプリケーションの１つが、同じタイプである、請求項１に記載の方法。
【請求項４】
前記１つ以上の第１の通信アプリケーションおよび前記１つ以上の第２の通信アプリケーションが、無線電話アプリケーション、電子メールアプリケーション、ショートメッセージサービス（ＳＭＳ）アプリケーション、マルチメディアメッセージサービス（ＭＭＳ）アプリケーション、およびエンハンスドメッセージサービス（ＥＭＳ）アプリケーションから成る群から選択される、請求項１に記載の方法。
【請求項５】
前記ワイヤレスネットワークおよび前記ワイヤレスネットワークに接続されたルーティングサーバを含むシステムでの、第１の移動局と第２の移動局との間のメッセージを交換する方法であって、該第１の移動局は１つ以上の第１の通信アプリケーションを有し、該第２の移動局は１つ以上の第２の通信アプリケーションを有し、該第１の移動局は第１の個人識別番号を有し、該第２の移動局は第２の個人識別番号を有し、該方法は：
（ａ）該第１の個人識別番号を含むインビテーションメッセージを、該第１の移動局から該第２の移動局に、該１つ以上の第１の通信アプリケーションのうちの１つを使用して送信する工程と、
（ｂ）該第２の個人識別番号を含む承認メッセージを、該第２の移動局から該第１の移動局に、該１つ以上の第２の通信アプリケーションのうちの１つを使用して使用して送信する工程と、
（ｃ）該第２の個人識別番号を含む１つ以上の第１のメッセージを作成する工程と、
（ｄ）該１つ以上の第１のメッセージを、該ルーティングサーバに、該ワイヤレスネットワークを通じて送信する工程と、
（ｅ）該１つ以上の第１のメッセージを、該ルーティングサーバから該第２の移動局に、該ワイヤレスネットワークを通じて送信する工程であって、該１つ以上の第１のメッセージが、該第２の個人識別番号に基づいて該ルーティングサーバによってルートを決められる、工程と、
（ｆ）該第１の個人識別番号を含む１つ以上の第２のメッセージを作成する工程と、
（ｇ）該１つ以上の第２のメッセージを、該ルーティングサーバに、該ワイヤレスネットワークを通じて送信する工程と、
（ｈ）該１つ以上の第２のメッセージを、該ルーティングサーバから該第１の移動局に、該ワイヤレスネットワークを通じて送信する工程であって、該１つ以上の第２のメッセージが、該第１の個人識別番号に基づいて該ルーティングサーバによってルートを決められる、工程と
（ｉ）  該第１の移動局が第１の使用可能性情報メッセージを、該第２の移動局に定期的に送信する工程と、該第２の移動局が第２の使用可能性情報メッセージを、該第１の移動局に定期的に送信する工程と、
を包含する、方法。
【請求項６】
前記第１の使用可能性情報メッセージが前記第２の個人識別番号を含み、前記第２の使用可能性情報メッセージが前記第１の個人識別番号を含む、請求項５に記載の方法。
【請求項７】
前記第１の使用可能性情報メッセージを前記第２の移動局に送信する前記工程が、該第１の使用可能性情報メッセージを前記ルーティングサーバに、前記ワイヤレスネットワークを通じて送信し、該第１の使用可能性情報メッセージを該ルーティングサーバから該第２の移動局に、該ワイヤレスネットワークを通じて送信することを包含し、該ルーティングサーバは、前記第１の個人識別番号に基づいて該第１の使用可能性情報メッセージのルートを決め、
前記第２の使用可能性情報メッセージを該第１の移動局に送信する前記工程が、該第２の使用可能性情報メッセージを前記ルーティングサーバに、該ワイヤレスネットワークを通じて送信し、該第２の使用可能性情報メッセージを該ルーティングサーバから該第１の移動局に、該ワイヤレスネットワークを通じて送信することを包含し、該ルーティングサーバは前記第１の個人識別番号に基づいて該第２の使用可能性情報メッセージのルートを決める、請求項６に記載の方法。
【請求項８】
ワイヤレスネットワークおよび該ワイヤレスネットワークに接続されたルーティングサーバを含むシステムでの、第１の移動局と第２の移動局との間のメッセージを交換する方法であって、該第１の移動局は１つ以上の第１の通信アプリケーションを有し、該第２の移動局は１つ以上の第２の通信アプリケーションを有し、該第１の移動局は第１の個人識別番号を有し、該第２の移動局は第２の個人識別番号を有し、該第１の移動局が、複数の対応するコンタクト移動局を有する複数のコンタクトを有するコンタクトデータベースを有し、該方法は：
（ａ）該第１の個人識別番号を含むインビテーションメッセージを、該第１の移動局から該第２の移動局に、該１つ以上の第１の通信アプリケーションのうちの１つを使用して送信する工程と、
（ｂ）該第２の個人識別番号を含む承認メッセージを、該第２の移動局から該第１の移動局に、該１つ以上の第２の通信アプリケーションのうちの１つを使用して使用して送信する工程と、
（ｃ）該第２の個人識別番号を含む１つ以上の第１のメッセージを作成する工程と、
（ｄ）該１つ以上の第１のメッセージを、該ルーティングサーバに、該ワイヤレスネットワークを通じて送信する工程と、
（ｅ）該１つ以上の第１のメッセージを、該ルーティングサーバから該第２の移動局に、該ワイヤレスネットワークを通じて送信する工程であって、該１つ以上の第１のメッセージが、該第２の個人識別番号に基づいて該ルーティングサーバによってルートを決められる、工程と、
（ｆ）該第１の個人識別番号を含む１つ以上の第２のメッセージを作成する工程と、
（ｇ）該１つ以上の第２のメッセージを、該ルーティングサーバに、該ワイヤレスネットワークを通じて送信する工程と、
（ｈ）該１つ以上の第２のメッセージを、該ルーティングサーバから該第１の移動局に、該ワイヤレスネットワークを通じて送信する工程であって、該１つ以上の第２のメッセージが、該第１の個人識別番号に基づいて該ルーティングサーバによってルートを決められる、工程と、
（ｉ）該第１の移動局が使用可能性情報メッセージを前記コンタクト移動局に定期的に送信する工程と、
を包含する、方法。
【請求項９】
前記第２の移動局が、前記コンタクト移動局の１つである、請求項８に記載の方法。
【請求項１０】
前記第１の移動局が、第２の使用可能性情報メッセージを１つ以上の前記コンタクト移動局から送信する工程と、使用可能性情報を該第２の使用可能性情報メッセージに基づいて前記移動局に表示する工程と、をさらに包含する、請求項８に記載の方法。
【請求項１１】
前記使用可能性情報が、コンタクトデータベーススクリーンの一部として表示される、請求項１０に記載の方法。
【請求項１２】
前記第２の使用可能性情報メッセージが、前記１つ以上の前記コンタクト移動局の現在の動作状態から得られる、請求項１０に記載の方法。
【請求項１３】
前記第２の使用可能性情報メッセージが、前記１つ以上の前記コンタクト移動局の特定の状態、または前記１つ以上の前記コンタクト移動局で生じるイベントに関する、請求項１２に記載の方法。
【請求項１４】
前記複数の一致するコンタクト移動局が複数の対応するコンタクト個人識別番号を有し、各々の前記使用可能性情報メッセージが１つの該コンタクト個人識別番号を含み、該使用可能性情報メッセージを該コンタクト移動局に送信する工程が、該使用可能性情報メッセージを前記ルーティングサーバに前記ワイヤレスネットワークを通じて送信することと、該使用可能性情報メッセージを該ルーティングサーバから該コンタクト移動局に、該ワイヤレスネットワークを通じて送信することを包含し、該ルーティングサーバは、該コンタクト個人識別番号に基づいて該使用可能性情報メッセージのルートを決める、請求項８に記載の方法。
【請求項１５】
前記第１の使用可能性情報メッセージが前記第１の移動局の現在の動作状態から得られ、および第２の使用可能性情報メッセージが第２の移動局の現在の動作状態から得られる、請求項５に記載の方法。
【請求項１６】
前記第１の使用可能性情報メッセージが、前記第１の移動局の特定の状態または該第１の移動局で生じるイベントに関し、および前記第２の使用可能性情報メッセージが、前記第２の移動局の特定の状態または該第２の移動局で生じるイベントに関する、請求項１５に記載の方法。
【請求項１７】
前記使用可能性情報メッセージが、前記第１の移動局の現在の動作状態から得られる、請求項８に記載の方法。
【請求項１８】
前記使用可能性情報メッセージが、前記第１の移動局の特定の状態または該第１移動局で生じるイベントに関する、請求項１７に記載の方法。
【請求項１９】
前記ワイヤレスネットワークおよび前記ワイヤレスネットワークに接続された前記ルーティングサーバを含むシステムでの、前記第１の移動局と前記第２の移動局との間のメッセージを交換する方法であって、該第１の移動局は１つ以上の前記第１の通信アプリケーションを有し、該第２の移動局は１つ以上の前記第２の通信アプリケーションを有し、該第１の移動局は前記第１の個人識別番号を有し、該第２の移動局は前記第２の個人識別番号を有し、該方法は：
（ａ）該第１の個人識別番号を含むインビテーションメッセージを、該第１の移動局から該第２の移動局に、該１つ以上の第１の通信アプリケーションのうちの１つを使用して送信する工程と、
（ｂ）該第２の個人識別番号を含む承認メッセージを、該第２の移動局から該第１の移動局に、該１つ以上の第２の通信アプリケーションのうちの１つを使用して使用して送信する工程と、
（ｃ）該第２の個人識別番号を含む１つ以上の第１のメッセージを作成する工程と、
（ｄ）該１つ以上の第１のメッセージを、該ルーティングサーバに、該ワイヤレスネットワークを通じて送信する工程と、
（ｅ）該１つ以上の第１のメッセージを、該ルーティングサーバから該第２の移動局に、該ワイヤレスネットワークを通じて送信する工程であって、該１つ以上の第１のメッセージが、該第２の個人識別番号に基づいて該ルーティングサーバによってルートを決められる、工程と、
（ｆ）該第１の個人識別番号を含む１つ以上の第２のメッセージを作成する工程と、
（ｇ）該１つ以上の第２のメッセージを、該ルーティングサーバに、該ワイヤレスネットワークを通じて送信する工程と、
（ｈ）該１つ以上の第２のメッセージを、該ルーティングサーバから該第１の移動局に、該ワイヤレスネットワークを通じて送信する工程であって、該１つ以上の第２のメッセージが、該第１の個人識別番号に基づいて該ルーティングサーバによってルートを決められる、工程と、
（ｉ）該第１の移動局から該第２の移動局に、音声回線を通って通話を行う工程をさらに包含し、該インビテーションメッセージは、該第１の移動局から該第２の移動局に該音声回線を通って送信される、複数の第１のＤＴＭＦ発信音を含み、前記承認メッセージは、該第２の移動局から該第１の移動局に該音声回線を通って送信される、複数の第２のＤＴＭＦ発信音を含む、工程と、
を包含する、方法。
【請求項２０】
前記第１の通信アプリケーションおよび前記第２の通信アプリケーションが、それぞれ無線電話アプリケーションである、請求項１９に記載の方法。
【請求項２１】
前記第１の移動局が複数の前記コンタクト移動局から第１のコンタクトメッセージを表示し、該第１のコンタクトメッセージが前記ルーティングサーバによって該第１の移動局へのルートを決められ、該第１の移動局が選択された１つの該コンタクト移動局から第２のコンタクトメッセージを表示せず、該第２のコンタクトメッセージが該ルータによって該第１の移動局へのルートを決められる、請求項８に記載の方法。
【請求項２２】
前記メッセージが１つの前記コンタクト移動局から生じた場合、前記第１の移動局が前記ルーティングサーバによって該第１の移動局へのルートが決められたメッセージのみを表示する、請求項８に記載の方法。
【手続補正２】
【補正対象書類名】明細書
【補正対象項目名】０００１
【補正方法】変更
【補正の内容】
【０００１】
（技術分野）
本発明は、一般的に、携帯電話、高度自動機能電話、携帯情報端末（ＰＤＡ）、ポケベル、ハンドヘルドコンピュータ、電話可能なラップトップコンピュータ、および他の移動式の電子機器のような移動局のためのメッセージソリューションに関し、より詳細に、各移動局に対する存在および「仲間（ｂｕｄｄｙ）リスト」情報のような、状態情報を追跡するインスタントメッセージングサーバなどを利用しない、移動局に対するピア・ツー・ピアの迅速なメッセージングソリューションに関する。
【手続補正書】
【提出日】平成17年11月16日(2005.11.16)
【手続補正１】
【補正対象書類名】明細書
【補正対象項目名】００１３
【補正方法】変更
【補正の内容】
【００１３】
上記第１の移動局は、本発明に従って、第１の使用可能性情報メッセージを上記第２の移動局に、上記ルーティングサーバを通じて定期的に送信し得、上記第２の移動局は、第２の使用可能性情報メッセージを上記第１の移動局に、上記ルーティングサーバを通じて定期的に送信し得る。上記使用可能性情報メッセージは、当該の上記移動局の現在の動作状態から導き出され得、そして当該の上記移動局の特定の状態、または当該の上記移動局で生じるイベントの特定の状態に関し得る。さらに、各移動局は、上記使用可能性情報メッセージを、データベースにコンタクトする全ての移動局に定期的に送信し得る。
本発明の一局面において、ワイヤレスネットワークおよび該ワイヤレスネットワークに接続されたルーティングサーバを含むシステムでの、第１の移動局と第２の移動局との間のメッセージを交換する方法であって、該第１の移動局は１つ以上の第１の通信アプリケーションを有し、該第２の移動局は１つ以上の第２の通信アプリケーションを有し、該第１の移動局は第１の個人識別番号を有し、該第２の移動局は第２の個人識別番号を有し、該第１の移動局が、複数の対応するコンタクト移動局を有する複数のコンタクトを有するコンタクトデータベースを有し、該方法は、（ａ）該第１の個人識別番号を含むインビテーションメッセージを、該第１の移動局から該第２の移動局に、該１つ以上の第１の通信アプリケーションのうちの１つを使用して送信する工程と、（ｂ）該第２の個人識別番号を含む承認メッセージを、該第２の移動局から該第１の移動局に、該１つ以上の第２の通信アプリケーションのうちの１つを使用して使用して送信する工程と、（ｃ）該第２の個人識別番号を含む１つ以上の第１のメッセージを作成する工程と、（ｄ）該１つ以上の第１のメッセージを、該ルーティングサーバに、該ワイヤレスネットワークを通じて送信する工程と、（ｅ）該１つ以上の第１のメッセージを、該ルーティングサーバから該第２の移動局に、該ワイヤレスネットワークを通じて送信する工程であって、該１つ以上の第１のメッセージが、該第２の個人識別番号に基づいて該ルーティングサーバによってルートを決められる、工程と、（ｆ）該第１の個人識別番号を含む１つ以上の第２のメッセージを作成する工程と、（ｇ）該１つ以上の第２のメッセージを、該ルーティングサーバに、該ワイヤレスネットワークを通じて送信する工程と、（ｈ）該１つ以上の第２のメッセージを、該ルーティングサーバから該第１の移動局に、該ワイヤレスネットワークを通じて送信する工程であって、該１つ以上の第２のメッセージが、該第１の個人識別番号に基づいて該ルーティングサーバによってルートを決められる、工程と、（ｉ）該第１の移動局が使用可能性情報メッセージを前記コンタクト移動局に定期的に送信する工程と、を包含する、方法が提供される。
別の局面において、複数の一致するコンタクト移動局が複数の対応するコンタクト個人識別番号を有し、各々の使用可能性情報メッセージが１つの該コンタクト個人識別番号を含み、該使用可能性情報メッセージを該コンタクト移動局に送信する工程が、該使用可能性情報メッセージを前記ルーティングサーバにワイヤレスネットワークを通じて送信することと、該使用可能性情報メッセージを該ルーティングサーバから該コンタクト移動局に、該ワイヤレスネットワークを通じて送信することを包含し、該ルーティングサーバは、該コンタクト個人識別番号に基づいて該使用可能性情報メッセージのルートを決めることが提供される。
【国際調査報告】
2007506309.tif 000006
2007506309.tif 000007
2007506309.tif 000008